(57)【要約】【課題】待機用電源とメイン電源の２系統をもつ電源装置において、停電復帰時に大きな突入電流が流れ、第１のリレーや第２のリレーが損傷や破壊する恐れがあった。【解決手段】電源装置において、停電などによって交流電源１が遮断されたとき、待機用電源５が先にＯＦＦになる場合において、待機電源電圧検出手段１０によって待機電源の電源電圧を検知し、所定の電圧を下回った場合、第２のリレーをＯＦＦし、交流電圧復帰時に大きな突入電流が流れるのを防止することにより第１のリレーおよび第２のリレーの損傷や破壊の防止を実現することができる。【選択図】図１
2009077472.tif 000002
【特許請求の範囲】
【請求項１】
交流電源と、突入電流を防止するための突入電流防止素子と、交流電源ラインの両側に各々直列に接続され交流電源ラインを開閉する第１及び第２のリレーと、リレーＯＦＦ時の電源である待機用電源と、リレーＯＮ時の電源であるメイン電源と、両リレーを駆動するリレー駆動手段と、第１のリレーを駆動させるための第１のリレー駆動電源と、第２のリレーを駆動させるための第２のリレー駆動電源と、前記交流電源の異常時に待機用電源の電圧値を検出する待機用電源電圧検出手段を備え、待機用電源の電圧が所定の電圧を下回った場合、第２のリレーの接点をＯＦＦすることを特徴とした電源装置。
【発明の詳細な説明】
【技術分野】
【０００１】
本発明は、電源装置に関するものである。
【背景技術】
【０００２】
図２は、特許文献１に記載された従来の電源装置を示すものである。
【０００３】
図２に示すように、本電源装置は交流電源と、突入電流を防止するための突入電流防止素子と、第２のリレーと、第１のリレーと、リレーＯＦＦ時の電源である待機用電源と、リレーＯＮ時の電源であるメイン電源と、両リレーを駆動するリレー駆動手段と、第２のリレーを駆動させるための第２のリレー駆動電源と、第１のリレーを駆動させるための第１のリレー駆動電源から構成されている。
【０００４】
前記電源装置では待機時の制御用電源である待機用電源と、両リレーＯＮ時の電源であるメイン電源が複合した２電源システムで、リレー駆動手段の電源電圧は両電源より供給されていた。
【０００５】
また、図３に示すように、それぞれのリレーは交流電源投入後待機用電源が起動し、リレー駆動手段の電源電圧の第１のリレー駆動電源が供給され、リレー駆動手段によって、第１のリレーをＯＮさせ、突入電流防止素子を通ってメイン電源へ電圧が供給され、メイン電源が起動し、第２のリレー駆動電源が供給され、リレー駆動手段によって第２のリレーがＯＮするものであった。
【特許文献１】特開２００５−１１４２４９号公報
【発明の開示】
【発明が解決しようとする課題】
【０００６】
しかしながら、前記従来の構成では、図４に示すように、待機用電源とメイン電源が動作時に停電などによって交流電源が遮断されたとき、場合によっては待機電源が先に停止する場合がある。そのとき、メイン電源は動作を継続し、リレー駆動手段の電源電圧は供給されるため、リレー駆動手段は、第１のリレーと、第２のリレーを駆動し続けようとするが、待機用電源は停止しているため、第１のリレーはＯＦＦとなる。第２のリレーがＯＮ、第１のリレーがＯＦＦとなっている区間で交流電源が復帰したとき、リレー駆動手段は、両方のリレーを駆動し続けようとしているため、待機用電源５が動作すると同時に第１のリレーがＯＮする。そのとき第２のリレーはＯＮしているために大きな突入電流が流れ、場合によっては第２のリレーが損傷、破壊に至るという課題を有していた。
【０００７】
本発明は前記従来の課題を解決するもので、入力の交流電圧の異常時に、第１のリレーと第２のリレーの損傷や破壊を防止することを可能とした電源装置を提供することを目的としている。
【課題を解決するための手段】
【０００８】
前記従来の課題を解決するために、本発明の電源装置は、入力の交流電圧の異常時に、第２のリレーをＯＦＦすることにより、交流電圧が正常となったときに第１のリレーと第２のリレーに流れる突入電流を防ぐことを可能としている。
【発明の効果】
【０００９】
本発明の電源装置は、入力の交流電圧の異常時に、第２のリレーをＯＦＦすることにより、交流電圧が正常となったときに第２のリレーと第１のリレーに流れる突入電流を防ぐ
ことを実現することができる。
【発明を実施するための最良の形態】
【００１０】
第１の発明は交流電源と、突入電流を防止するための突入電流防止素子と、交流電源ラインの両側に各々直列に接続され交流電源ラインを開閉する第１及び第２のリレーと、リレーＯＦＦ時の電源である待機用電源と、リレーＯＮ時の電源であるメイン電源と、両リレーを駆動するリレー駆動手段と、第１のリレーを駆動させるための第１のリレー駆動電源と、第２のリレーを駆動させるための第２のリレー駆動電源と、前記交流電源の異常時に待機用電源の電圧値を検出する待機用電源電圧検出手段とを備えたことにより、入力の交流電圧１の異常時に第２のリレーをＯＦＦすることにより、交流電圧が正常となったときに第１のリレーと第２のリレーに流れる突入電流を防ぐことができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における電源装置の構成図を示すもので、交流電源１と、突入電流を防止するための突入電流防止素子２と、第２のリレー３と、第１のリレー  ４と、リレーＯＦＦ時の電源である待機用電源５と、リレーＯＮ時の電源であるメイン電源６と、両リレーを駆動するリレー駆動手段７と、第２のリレー３を駆動させるための第２のリレー駆動電源８と、第１のリレー４を駆動させるための第１のリレー駆動電源９と、待機用電源５の電源電圧を検出する待機電源電圧検出手段１０から構成されている。
【００１３】
以上のように構成された電源装置について、以下その動作、作用を説明する。
【００１４】
待機用電源５とメイン電源６が動作時に停電などによって交流電源１が遮断されたとき、待機用電源５が先にＯＦＦになる場合において、待機電源電圧検出手段１０によって、待機電源の電源電圧を検知し、所定の電圧を下回った場合、第２のリレー３をＯＦＦし、交流電圧復帰時に大きな突入電流が流れるのを防止することにより第１のリレーおよび第２のリレーの損傷や破壊の防止を実現することができる。
【産業上の利用可能性】
【００１５】
以上のように、本発明にかかる電源装置は、２つの電源システムの電源装置全てにおいて適用可能である。
【図面の簡単な説明】
【００１６】
【図１】本発明の実施の形態１における電源装置の構成図
【図２】従来の電源装置の構成図
【図３】従来の電源装置の起動時の制御フローチャート
【図４】従来の電源装置の入力交流電圧異常時の動作のフローチャート
【符号の説明】
【００１７】
１  交流電源
２  突入電流防止素子
３  第２のリレー
４  第１のリレー
５  待機用電源
６  メイン電源
７  リレー駆動手段
８  第１のリレー駆動電圧
９  第２のリレー駆動電圧
１０  待機用電源電圧検出手段
【図１】
2009077472.tif 000003
【図２】
2009077472.tif 000004
【図３】
2009077472.tif 000005
【図４】
2009077472.tif 000006